(57)【要約】【課題】  温度検出素子に依存せず、簡単な処理で適した回転速度でファンを駆動させることができるディスク再生装置を提供すること。【解決手段】  ＤＶＤプレーヤ１は、挿入されたディスクを再生し、挿入されたディスクのディスク種別の情報をマイコン１１に通知するディスク再生部１２と、ディスク種別に対応付けてファンの回転速度を管理するファン回転速度テーブルと、ＤＶＤプレーヤ１を放熱するために駆動されるファン１４と、ディスク再生部１２から通知されたディスク種別に対応付けてファン回転速度テーブルによって管理されている回転速度を、ファン１４を駆動する回転速度に決定するマイコン１１と、マイコン１１によって決定された回転速度でファンを駆動させるファン制御部とを備える。【選択図】図２
2010092534.tif 000002
【特許請求の範囲】
【請求項１】
挿入されたディスクを再生し、挿入されたディスクのディスク種別の情報を後記回転速度決定手段に通知するディスク再生手段と、
ディスク種別に対応付けて後記ファンの回転速度を管理する回転速度管理手段と、
ディスク再生装置を放熱するために駆動されるファンと、
前記ディスク再生手段から通知されたディスク種別に対応付けて前記回転速度管理手段によって管理されている回転速度を、前記ファンを駆動する回転速度に決定する回転速度決定手段と、
前記回転速度決定手段によって決定された回転速度で前記ファンを駆動させるファン制御手段とを備える、ディスク再生装置。
【請求項２】
前記ディスク再生手段にディスクが挿入されたか否かを判断する判断手段をさらに備え、
前記ディスク再生手段にディスクが挿入されたと判断されたときのみ、前記回転速度決定手段が、前記ファンを駆動する回転速度を決定する、請求項１に記載のディスク再生装置。
【請求項３】
第２ディスク再生手段と、
前記ディスク再生手段と前記第２ディスク再生手段との中から一方を選択する選択手段と、
前記回転速度管理手段が、前記第２ディスク再生手段に対応付けて前記ファンの回転速度をさらに管理し、
前記選択手段が前記第２ディスク再生手段を選択したとき、前記回転速度決定手段が、前記回転速度管理手段によって前記第２ディスク再生手段に対応付けて管理されている回転速度を、前記ファンの回転速度に決定し、
前記選択手段が前記ディスク再生手段を選択したとき、前記回転速度決定手段が、前記ディスク再生手段から通知されたディスク種別の情報に対応付けて前記回転速度管理手段によって管理されている回転速度を、前記ファンの回転速度に決定する、請求項１または２に記載のディスク再生装置。
【発明の詳細な説明】
【技術分野】
【０００１】
本発明は、ファンを備えたディスク再生装置に関する。
【背景技術】
【０００２】
ＤＶＤプレーヤ等のディスク再生装置は、挿入されたＤＶＤディスクを再生して音声データを外部に接続される増幅装置に出力し、映像データを外部に接続されるディスプレイ装置に出力する。このとき、ディスク再生部等が発熱するので、ＤＶＤプレーヤの内部に設けられたファンを駆動させることによって、ＤＶＤプレーヤ内部を放熱する必要がある。従来では、サーミスタ等の温度検出素子を用いて、ＤＶＤプレーヤの内部温度を検出し、検出した内部温度に応じた回転速度でファンを駆動させることが行われている。しかし、ＤＶＤプレーヤ内部の複数箇所によって温度が異なる場合があるので、正確にファンの回転速度を決定するためには複数の温度検出素子を設ける必要があり、そのコストが高くなるという問題がある。従って、温度検出素子に依存しないファンの回転速度の算出方法が要望されている。
【０００３】
この問題を解決するために、下記特許文献１では、光ディスクを回転させるスピンドルモータの回転速度を検出し、ファンの回転速度をスピンドルモータの回転速度に比例させる技術が提案されている。しかし、この技術によると、スピンドルモータの回転速度を常に検出する必要があるので、その処理が煩雑であるという問題がある。
【０００４】
【特許文献１】特開２０００−３６１８８号公報
【発明の開示】
【発明が解決しようとする課題】
【０００５】
本発明は上記従来の課題を解決するためのものであり、その目的は、温度検出素子に依存せず、簡単な処理で適した回転速度でファンを駆動させることができるディスク再生装置を提供することである。
【課題を解決するための手段】
【０００６】
本発明の好ましい実施形態によるディスク再生装置は、挿入されたディスクを再生し、挿入されたディスクのディスク種別の情報を後記回転速度決定手段に通知するディスク再生手段と、ディスク種別に対応付けて後記ファンの回転速度を管理する回転速度管理手段と、ディスク再生装置を放熱するために駆動されるファンと、前記ディスク再生手段から通知されたディスク種別に対応付けて前記回転速度管理手段によって管理されている回転速度を、前記ファンを駆動する回転速度に決定する回転速度決定手段と、前記回転速度決定手段によって決定された回転速度で前記ファンを駆動させるファン制御手段とを備える。
【０００７】
ディスク種別によってディスク再生部のディスク回転速度等が異なり、その結果、ディスク再生部が発する熱が異なるので、回転速度管理手段によってディスク種別毎に適したファンの回転速度を管理しておき、ディスク再生部に挿入されるディスク種別を判別することによって、判別されたディスク種別に応じて適した回転速度でファンを駆動することができる。従って、温度検出素子に依存せずに、適したファンの回転速度を決定することができる。
【０００８】
好ましい実施形態においては、前記ディスク再生手段にディスクが挿入されたか否かを判断する判断手段をさらに備え、前記ディスク再生手段にディスクが挿入されたと判断されたときのみ、前記回転速度決定手段が、前記ファンを駆動する回転速度を決定する。
【０００９】
この場合、ディスク再生手段にディスクが挿入されたと判断されたときのみ、ファンを駆動する回転速度を決定するので、処理が簡単化される。
【００１０】
好ましい実施形態においては、第２ディスク再生手段と、前記ディスク再生手段と前記第２ディスク再生手段との中から一方を選択する選択手段と、前記回転速度管理手段が、前記第２ディスク再生手段に対応付けて前記ファンの回転速度をさらに管理し、前記選択手段が前記第２ディスク再生手段を選択したとき、前記回転速度決定手段が、前記回転速度管理手段によって前記第２ディスク再生手段に対応付けて管理されている回転速度を、前記ファンの回転速度に決定し、前記選択手段が前記ディスク再生手段を選択したとき、前記回転速度決定手段が、前記ディスク再生手段から通知されたディスク種別の情報に対応付けて前記回転速度管理手段によって管理されている回転速度を、前記ファンの回転速度に決定する。
【００１１】
この場合、第２ディスク再生手段を備え、第２ディスク再生手段が選択された場合でも、第２ディスク再生手段に適した回転速度でファンを駆動できる。
【発明の効果】
【００１２】
回転速度管理手段によってディスク種別毎に適したファンの回転速度を管理しておき、ディスク再生部に挿入されるディスク種別を判別することによって、判別されたディスク種別に応じて適した回転速度でファンを駆動することができる。
【発明を実施するための最良の形態】
【００１３】
以下、本発明の好ましい実施形態について、図面を参照して具体的に説明するが、本発明はこれらの実施形態には限定されない。図１は、本発明の好ましい実施形態によるディスク再生装置（以下、ＤＶＤプレーヤという。）を示す概略ブロック図である。ＤＶＤプレーヤ１は、挿入されたディスクに記録されているコンテンツを再生する。コンテンツは、映像データ、音声（曲）データ、静止画データ等の総称である。ＤＶＤプレーヤ１は、マイコン等の制御手段１１と、ディスク再生部１２と、ファン制御部１３と、ファン１４と、音声出力端子１５と、映像出力端子１６と、操作部１７と、表示部１８とを備えている。また、必要に応じて、ＤＶＤプレーヤ１は、ディスク再生部１２によって再生された音声信号を増幅するアンプ部（図示せず）や、アンプ部によって増幅された音声信号をスピーカーに出力するスピーカー出力端子を備えていてもよい。
【００１４】
ディスク再生部１２は、挿入されたディスク（例えば、ＤＶＤディスク、ＣＤディスク又はＳＡＣＤディスク等）から音声データを読み出して、音声出力端子１５に供給する。音声出力端子１５には図示しない増幅装置が接続されており、増幅装置に音声データが供給される。また、ディスク再生部１２は、挿入されたディスクから映像データを読み出して、映像出力端子１６に供給する。映像出力端子１６には図示しないディスプレイ装置が接続されており、ディスプレイ装置に映像データが供給される。
【００１５】
また、ディスク再生部１２は、挿入されたディスクのディスク種別（例えば、ＤＶＤディスク、ＣＤディスク又はＳＡＣＤディスク等）を周知の技術を用いて判別し、マイコン１１にディスク種別の情報を通知する。ディスク種別の判別及びマイコン１１への通知は、好ましくは、ディスク再生部１２に新たにディスクが挿入されたときに１回だけ実行される。
【００１６】
ファン１４は、ＤＶＤプレーヤ１の所定の位置に配置されており、内蔵するフィンを回転動作さることによってＤＶＤプレーヤ内部（例えば、ディスク再生部１２）の熱を放熱するものである。ファン１４は、複数の回転速度で回転することが可能であり、ファン制御部１３によってその回転速度が制御される。例えば、ファン１４の回転速度は、高速、中速、低速の３種類が設定されている。
【００１７】
ファン制御部１３は、マイコン１１からの指示に応じて、ファン１４の回転動作を制御するものであり、例えばファン駆動用モータ等である。
【００１８】
マイコン１１は、内蔵又は接続されたメモリ１１ａに格納されているディスク再生装置の動作プログラムに基づいて、後述の各処理を実行する。例えば、マイコン１１は、ディスク再生部１２から通知されたディスク種別の情報に基づいて、ファン１４の回転速度を決定する。
【００１９】
メモリ１１ａには図２に示すファン回転速度テーブルが格納されている。ファン回転速度テーブルは、ディスク種別に対応付けてファン１４の回転速度が管理されている。マイコン１１は、ファン回転速度テーブルとディスク再生部１２から通知されたディスク種別の情報とに基づいて、ファンの回転速度を決定する。例えば、ディスク種別がＤＶＤディスクである場合にはファン１４の回転速度は高速に決定され、ディスク種別がＳＡＣＤディスクである場合にはファン１４の回転速度は中速に決定され、ディスク種別がＣＤディスクである場合にはファン１４の回転速度は低速に決定される。
【００２０】
このように回転速度が設定されているのは、次の理由による。ディスク再生部１２のディスク回転用のモータ（スピンドルモータ）は、ＤＶＤディスクの場合には高速で回転するのでスピンドルモータのモータドライバの消費電力が大きくなり、ＳＡＣＤディスクの場合には中速で回転するのでスピンドルモータのモータドライバの消費電力が中程度であり、ＣＤディスクの場合には低速で回転するのでスピンドルモータのモータドライバの消費電力が小さくなる。ここで、スピンドルモータのモータドライバの消費電力が大きい方がモータドライバから発生する熱が大きくなるので、ファンの回転速度をより高速にすることにより、発生する熱を効果的に放熱することができる。
【００２１】
また、スピンドルモータの回転速度が高速になるとスピンドルモータから発生する騒音が大きくなるので、ファン１４の回転速度を高速に制御するとファン１４から発生する騒音も大きくなるが、スピンドルモータからの騒音にかき消されるので、ファン１４の騒音をユーザにはそれほど気にならないようにできる。一方、スピンドルモータの回転速度が低速になるとスピンドルモータから発生する騒音が小さくなり、ファン１４の騒音が目立つようになるが、ファンの回転速度を低速に制御しファン１４の騒音も小さくすることにより、ファン１４の騒音をユーザにはそれほど気にならないようにできる。
【００２２】
また、ＣＤディスクやＳＡＣＤディスクは音楽を鑑賞するためのディスクであるので、ファンの回転速度を低速又は中速に制御することによって、ＣＤディスクやＳＡＣＤディスクから再生される音がファンの騒音によって阻害されることを防止することができる。一方、ＤＶＤディスクは主に映像を鑑賞するためのディスクであるので、ファンの回転速度を高速に制御して音がファンの騒音によって阻害されても、ユーザにそれほど不快感を与えることはない。
【００２３】
操作部１７は、ユーザによって操作され、当該操作に対応する操作信号をマイコン１１に供給する。表示部１８は、ディスク再生部１２によって再生されているディスクの情報等を表示するものであり、ＬＣＤやＦＬ管等である。
【００２４】
以下、本例の動作を説明する。
図３は、マイコン１１の処理を示すフローチャートである。マイコン１１は、ユーザ操作によってディスク再生部１２にディスクが挿入されたか否かを判断する（Ｓ１）。ディスク再生部１２にディスクが挿入された場合（Ｓ１でＹＥＳ）、マイコン１１は、ディスク再生部１２から、挿入されたディスクのディスク種別の情報を取得したか否かを判断する（Ｓ２）。
【００２５】
ディスク再生部１２からディスク種別の情報を取得した場合（Ｓ２でＹＥＳ）、マイコン１１は、新たに挿入されたディスクのディスク種別が前回挿入されていたディスクのディスク種別と異なっているか否かを判断する（Ｓ３）。詳細には、メモリ１１ａに前回挿入されていたディスクのディスク種別の情報が記憶されているので、その情報を読み出して、今回新たに挿入されたディスクのディスク種別と比較する。
【００２６】
新たに挿入されたディスクのディスク種別が前回挿入されていたディスクのディスク種別と同じである場合（Ｓ３でＮＯ）、ファン１４の回転速度を変更する必要がないので、処理を終了する。一方、新たに挿入されたディスクのディスク種別が前回挿入されていたディスクのディスク種別と異なる場合（Ｓ３でＹＥＳ）、マイコン１１は、新たに挿入されたディスクのディスク種別の情報をメモリ１１ａに保存する（つまり、前回挿入されていたディスクのディスク種別に対して今回挿入されたディスクのディスク種別を上書きする）（Ｓ４）。
【００２７】
マイコン１１は、ファン回転速度テーブルを参照し、新たに挿入されたディスクのディスク種別に対応するファンの回転速度を決定する（Ｓ５）。例えば、新たに挿入されたディスクのディスク種別がＤＶＤディスクであれば、ファンの回転速度を高速に決定し、ＳＡＣＤであれば中速に決定し、ＣＤであれば低速に決定する。マイコン１１は、決定したファンの回転速度でファンを駆動させるように、ファン制御部１３に指示を送信する（Ｓ６）。ファン制御部１３は、マイコン１１からの指示に応じて、指示されたファンの回転速度でファン１４を駆動させるように動作する。
【００２８】
以上のように、本例によると、ディスク再生部１２に挿入されたディスクのディスク種別に応じて適したファンの回転速度でファンを駆動させることができ、効率的にファンを動作させることができる。また、ディスクがディスク再生部１２に挿入されたときのみにファン１４の回転速度を決定しているので、処理が煩雑にならない。
【００２９】
次に、本発明の別の好ましい実施形態を説明する。図４は、本例のＤＶＤプレーヤ３１を示すブロック図である。ＤＶＤプレーヤ３１は、図１のＤＶＤプレーヤ１と比較して、第２ディスク再生部であるＨＤＤ（ハードディスクドライブ）３２と、セレクタ部３３とをさらに備える。ＨＤＤ３２には、複数のコンテンツ（映像データ及び／又は音声データ）が記録可能であり、マイコン１１によってＨＤＤ３２から読み出された映像データ及び／又は音声データはセレクタ部３３に供給される。同様に、ディスク再生部１２で再生された映像データ及び／又は音声データはセレクタ部３３に供給される。
【００３０】
セレクタ部３３は、ディスク再生部１２及びＨＤＤ３２の中から、いずれか一方を選択する。すなわち、セレクタ部３３は、ディスク再生部１２及びＨＤＤ３２から供給される音声データ（映像データ）の中から、音声出力端子（映像出力端子）１５に供給する音声データ（映像データ）を１つ選択する。
【００３１】
メモリ１１ａには図５に示すファン回転速度テーブルが記憶されている。このファン回転速度テーブルは、図２のファン回転速度テーブルと比較してディスク種別にＨＤＤが追加されており、ＨＤＤに対応するファン回転速度として超高速が設定されている。
【００３２】
図６は本例におけるマイコン１１の処理を示すフローチャートである。マイコン１１は、セレクタ部３３の選択が変更されたか否かを判断する（Ｓ１１）。ユーザ操作に応じて、セレクタ部３３の選択が変更された場合（Ｓ１１でＹＥＳ）、マイコン１１は、セレクタ部３３の選択がＨＤＤ３２であるか否かを判断する（Ｓ１２）。セレクタ部３３の選択がＨＤＤ３２であれば（Ｓ１２でＹＥＳ）、マイコン１１は、ファン回転速度テーブルを参照し、ＨＤＤ３２に対応するファン回転速度を読み出して、ファン回転速度を決定する（Ｓ１３）。すなわち、図５のようにＨＤＤ３２に対応するファン回転速度は超高速である。マイコン１１は、決定したファンの回転速度でファンを駆動させるように、ファン制御部１３に指示を送信する（Ｓ１４）。ファン制御部１４は、マイコン１１からの指示に応じて、指示されたファンの回転速度でファン１４を駆動させるように動作する。
【００３３】
一方、セレクタ部３３の選択がＨＤＤでなければ（Ｓ１２でＮＯ）、ディスク再生部１２が選択されたと判断されるので、マイコン１１は、ディスク再生部１２からディスク種別の情報を取得したか否かを判断する（Ｓ１５）。ディスク再生部１２からディスク種別の情報を取得すると（Ｓ１５でＹＥＳ）、マイコン１１は、取得したディスク種別の情報をメモリ１１ａに保存する（Ｓ１６）。
【００３４】
マイコン１１は、ファン回転速度テーブルを参照し、取得したディスク種別の情報に対応するファンの回転速度を決定する（Ｓ１３）。例えば、ディスク種別がＤＶＤディスクであれば、ファンの回転速度を高速に決定し、ＳＡＣＤであれば中速に決定し、ＣＤであれば低速に決定する。マイコン１１は、決定したファンの回転速度でファンを駆動させるように、ファン制御部１３に指示を送信する（Ｓ１４）。ファン制御部１４は、マイコン１１からの指示に応じて、指示されたファンの回転速度でファン１４を駆動させるように動作する。
【００３５】
以上のように、本例によると、ディスク再生部１２以外にＨＤＤ３２が設けられている場合にも、ＨＤＤ３２が選択された場合には、ＨＤＤ３２に適したファン回転速度でファンを駆動させることができる。なお、セレクタ部３３は、ＨＤＤ３２以外にＦＭチューナ等を選択してもよく、ＦＭチューナに対応したファン回転速度が設けられていてもよい。
【００３６】
以上、本発明の好ましい実施形態を説明したが、本発明はこれらの実施形態には限定されない。本発明は、上記の動作をコンピュータに実行させるためのコンピュータプログラムという形態で提供することもできる。
【産業上の利用可能性】
【００３７】
本発明は、ＤＶＤプレーヤやＰＣ等のディスク再生装置に好適に採用され得る。
【図面の簡単な説明】
【００３８】
【図１】本発明の好ましい実施形態によるディスク再生装置１の構成示す概略ブロック図である。
【図２】ファン回転速度テーブル（回転速度管理手段）を示す図である。
【図３】マイコン１１の処理を示すフローチャートである。
【図４】本発明の別の好ましい実施形態によるディスク再生装置３１の構成示す概略ブロック図である。
【図５】ファン回転速度テーブル（回転速度管理手段）を示す図である。
【図６】マイコン１１の処理を示すフローチャートである。
【符号の説明】
【００３９】
１              ディスク再生装置
１１            マイコン
１２            ディスク再生部
１３            ファン制御部
１４            ファン
１５            音声出力端子
１６            映像出力端子
１７            操作部
１８            表示部
３１            ディスク再生押す値
３２            ＨＤＤ（第２ディスク再生部）
３３            セレクタ部（選択手段）
【図１】
2010092534.tif 000003
【図２】
2010092534.tif 000004
【図３】
2010092534.tif 000005
【図４】
2010092534.tif 000006
【図５】
2010092534.tif 000007
【図６】
2010092534.tif 000008